(57)【要約】【課題】複数の発光素子の光信号をモニタすることができる光モジュールを提供する。【解決手段】発光素子２１を並列に複数個配列した発光素子群１４と、その発光素子群１４に並べて設けられ、発光素子群１４の各発光素子２１の反射光をモニタするモニタ用受光素子が配列してなるモニタ用受光素子群１８と、発光素子群１４の光軸に対して所定の角度を有して設けられるミラー３２と、ミラー３２と発光素子群１４との間に介設され、発光素子群１４のうち互いに最も離れた２つの発光素子２１，２１の光軸間距離よりも大きな有効径を有し、各発光素子２１からそれぞれ入射される光信号を平行光に、かつ、光軸をミラー３２の面またはミラー面近傍で交わらせ、ミラー３２で反射した複数の光信号を出射すると共にその出射光の光軸を平行にして各モニタ用受光素子に集光させる凸レンズ３３とを備えた。【選択図】図１
2007133079.tif 000002
【特許請求の範囲】
【請求項１】
発光素子を並列に複数個配列した発光素子群と、その発光素子群の光軸に対して所定の角度を有して設けられ発光素子から出射した光信号を透過させると共にその光信号の一部を反射させるミラーと、上記発光素子群に並べて設けられ発光素子群の各発光素子の反射光をモニタするモニタ用受光素子が配列してなるモニタ用受光素子群と、上記ミラーと上記発光素子群との間に介設され、上記発光素子群のうち互いに最も離れた２つの発光素子の光軸間距離よりも大きな有効径を有し、上記発光素子群の各発光素子からそれぞれ入射される光信号を平行光に、かつ、これらの光軸をミラーの面またはミラー面近傍で交わらせ、ミラーで反射した複数の光信号を出射すると共にその出射光の光軸を平行にして各モニタ用受光素子に集光させる凸レンズとを備えることを特徴とする光モジュール。
【請求項２】
上記ミラーが上記発光素子群の光軸に傾斜した角度を有して設けられると共に、上記発光素子群が上記凸レンズの中心軸上に設けられる請求項１記載の光モジュール。
【請求項３】
上記ミラーが上記発光素子群の光軸に垂直に設けられると共に、上記発光素子群の光軸が上記凸レンズの中心軸からずれて設けられる請求項１記載の光モジュール。
【請求項４】
上記凸レンズは、プラスチック材料で形成されたブロック体の一側に、上記発光素子群に臨んで形成され、上記ブロック体には上記ミラーを形成するためのスリットが形成される請求項１〜３いずれかに記載の光モジュール。
【請求項５】
上記ブロック体の上記凸レンズに対向する側には、上記ミラーを透過した各光信号を上記ブロック体に接続される複数の光伝送路にそれぞれ集光させる他の凸レンズが形成される請求項４記載の光モジュール。
【請求項６】
上記ブロック体の一側に上記他の凸レンズと略口径の等しい所定の深さのレンズ穴を形成し、そのレンズ穴の最深部に上記他の凸レンズが形成されると共に、上記他の凸レンズの焦点がレンズ穴の開口面に位置する請求項５記載の光モジュール。
【請求項７】
上記スリットに、任意の反射率を有するハーフミラーが挿入される請求項４〜６いずれかに記載の光モジュール。
【請求項８】
上記スリットのミラー面と上記ハーフミラーとの隙間には、上記ブロック体を形成する材料と同じ屈折率を有する接着剤が充填されている請求項７記載の光モジュール。
【発明の詳細な説明】
【技術分野】
【０００１】
本発明は、複数の光信号を送信或いは受信する光モジュールに係り、特に、発光素子の出射光をモニタできる光モジュールに関するものである。
【背景技術】
【０００２】
光通信システムにおいて、ＬＤ出射光を監視する機能を有する光モジュールがある。
【０００３】
図１６に示すように、従来の光モジュール９０は、レーザダイオード（ＬＤ）９１と、そのＬＤの発光面に対して所定の角度を有して設けられ、ＬＤから出射した光信号を透過させると共にその光信号の一部を反射させるミラー９２と、そのミラー９２で反射した光信号を受光するモニタ用受光素子９３とを備える。モニタ用受光素子９３は、ＬＤ９１が実装される基板９４上に設けられる。ミラー９２は、ＬＤ出射光の数％を反射させるガラス板等で形成され、ＬＤ出射光の殆どを透過させるべくガラス板に入射する光信号の角度が臨界角以下となるよう配置されている。
【０００４】
ＬＤ９１から出射した通信用の光信号Ｌは、その殆どがガラス板を透過し（図中Ｌ’）、光信号の数％が反射する（図中Ｌ”）。反射光Ｌ”は、反射方向に設けられているモニタ用受光素子９３で受光される。
【０００５】
ＬＤ９１から光信号が出射されれば、出射された光信号の数％がミラー９２で反射してモニタ用受光素子９３で検出されるので、ＬＤ９１が正常に動作しているか監視することができる。
【０００６】
【特許文献１】特開２００２−１０７５８２号公報
【発明の開示】
【発明が解決しようとする課題】
【０００７】
図１６の光モジュールは、一つのＬＤから出射した光信号とそのモニタ光を受光する一つのモニタ用受光素子を備えた１チャンネルの光モジュールであり、複数の光信号を出射するべく複数のＬＤを並列配置したＬＤアレイを備えた光モジュールには適用できない。
【０００８】
一般に、面発光ＬＤは後方に光を出射することが困難であるため、前方に出た光を何らかの方法で通信用光信号とモニタ用光信号に分離しなければならない。しかし、従来の面発光ＬＤの前面にガラス板を設けて反射させる方法ではガラス板で反射して戻って来た光のスポットが拡がってしまう。特に、複数のＬＤが挟ピッチで配置されているパラレルトランシーバでは、互いに隣接するチャネル同士でモニタ用光信号が干渉してしまう問題があった。
【０００９】
したがって、ＬＤアレイの各ＬＤから出射する光信号を個々にモニタすることができず、多チャンネルの光信号を送受信する光モジュールでは、各発光素子から出射する光信号を監視し、どのチャンネルにおいて故障が発生しているか判定することができなかった。
【００１０】
そこで、本発明の目的は、上記課題を解決し、複数の発光素子の光信号をモニタすることができる光モジュールを提供することにある。
【課題を解決するための手段】
【００１１】
上記目的を達成するために、請求項１の発明は、発光素子を並列に複数個配列した発光素子群と、その発光素子群の光軸に対して所定の角度を有して設けられ発光素子から出射した光信号を透過させると共にその光信号の一部を反射させるミラーと、上記発光素子群に並べて設けられ発光素子群の各発光素子の反射光をモニタするモニタ用受光素子が配列してなるモニタ用受光素子群と、上記ミラーと上記発光素子群との間に介設され、上記発光素子群のうち互いに最も離れた２つの発光素子の光軸間距離よりも大きな有効径を有し、上記発光素子群の各発光素子からそれぞれ入射される光信号を平行光に、かつ、これらの光軸をミラーの面またはミラー面近傍で交わらせ、ミラーで反射した複数の光信号を出射すると共にその出射光の光軸を平行にして各モニタ用受光素子に集光させる凸レンズとを備える光モジュールである。
【００１２】
請求項２の発明は、上記ミラーが上記発光素子群の光軸に傾斜した角度を有して設けられると共に、上記発光素子群が上記凸レンズの中心軸上に設けられる請求項１記載の光モジュールである。
【００１３】
請求項３の発明は、上記ミラーが上記発光素子群の光軸に垂直に設けられると共に、上記発光素子群の光軸が上記凸レンズの中心軸からずれて設けられる請求項１記載の光モジュールである。
【００１４】
請求項４の発明は、上記凸レンズは、プラスチック材料で形成されたブロック体の一側に、上記発光素子群に臨んで形成され、上記ブロック体には上記ミラーを形成するためのスリットが形成される請求項１〜３いずれかに記載の光モジュールである。
【００１５】
請求項５の発明は、上記ブロック体の上記凸レンズに対向する側には、上記ミラーを透過した各光信号を上記ブロック体に接続される複数の光伝送路にそれぞれ集光させる他の凸レンズが形成される請求項４記載の光モジュールである。
【００１６】
請求項６の発明は、上記ブロック体の一側に上記他の凸レンズと略口径の等しい所定の深さのレンズ穴を形成し、そのレンズ穴の最深部に上記他の凸レンズが形成されると共に、上記他の凸レンズの焦点がレンズ穴の開口面に位置する請求項５記載の光モジュールである。
【００１７】
請求項７の発明は、上記スリットに、任意の反射率を有するハーフミラーが挿入される請求項４〜６いずれかに記載の光モジュールである。
【００１８】
請求項８の発明は、上記スリットのミラー面と上記ハーフミラーとの隙間には、上記ブロック体を形成する材料と同じ屈折率を有する接着剤が充填されている請求項７記載の光モジュールである。
【発明の効果】
【００１９】
本発明によれば、複数の発光素子の光信号をモニタできるという優れた効果を発揮する。
【発明を実施するための最良の形態】
【００２０】
以下、本発明の好適な一実施形態を添付図面に基づいて詳述する。
【００２１】
図１は本発明に係る光モジュールの好適な実施の形態を示した斜視図である。
【００２２】
図１に示すように、本実施の形態の光モジュール１０は、発光素子を並列に複数個配列して発光素子群と、その発光素子群の近くに設けられ、発光素子群の各発光素子の反射光をモニタするモニタ用受光素子が配列してなるモニタ用受光素子群と、発光素子から出射した光信号を透過させると共にその光信号の一部を反射させるミラー１１が形成されたブロック体１２とを備える。
【００２３】
発光素子群及びモニタ用受光素子群は、ＣＡＮパッケージ１３上に設けられ、そのＣＡＮパッケージ１３がブロック体１２と接合されている。
【００２４】
図２に示すように、ＣＡＮパッケージ１３において、発光素子群１４は、円形の基板１５上に設けられ、リード線（ワイヤボンディング）１６を介してその基板１５上に形成された電気配線パターンと電気的に接続されている。さらに、発光素子群１４が外部と電気的に接続されるべく、基板１５を貫通する多数の入出力ピン１７が設けられている。同様に、モニタ用受光素子群１８も同基板１５上に設けられている。
【００２５】
図３に示すように、本実施の形態では、発光素子群１４は、４チャンネルで光信号を送信するべく、一次元配列された４つの発光素子２１を備える。発光素子２１としては面発光レーザダイオード（ＬＤ）が用いられる。本実施の形態では、発光素子２１は、基材２２に設けられ、１組の発光領域（出射部）２３とその発光領域２３に電気的に接続するためのリード線１６を受ける端子２４とからなる。図２のモニタ用受光素子群１８は、発光素子２１と同数のモニタ用受光素子を備え、モニタ用受光素子としてフォトダイオードが４個一次元配列されたＰＤアレイである。
【００２６】
さて、本実施の形態の光モジュールの特徴であるミラーが形成されたブロック体について説明する。
【００２７】
図４（ａ）〜図４（ｃ）に示すように、ブロック体１２は、プラスチック材料を用いて略直方体状に形成され、図４（ｃ）のように、ブロック体１２には、発光素子群１４の光軸に対して所定の角度を有するスリット３１が形成されている。スリット３１内は空気であり、スリット３１とブロック体１２との境界面（スリット面）をミラー３２としている。ミラー３２は、発光素子群１４を出射した光信号の殆どを透過させるために、全反射させない角度（臨界角以下）に形成されている。
【００２８】
本実施の形態では、ブロック体１２を形成するプラスチック材料とスリット内の空気との境界で、その境界面（ミラー３２）を光信号の光軸に対して所定の角度に形成することにより、反射率を略４％とした。すなわち、発光素子２１を出射した光信号のうち光強度比４％の光信号（モニタ用光信号）がモニタ用受光素子の方向に反射される。
【００２９】
さらに、ブロック体１２には、２つの凸レンズが形成され、第１凸レンズ３３は、ミラー３２と発光素子群１４との間のブロック体１２の一面３４に形成され、その第１凸レンズ３３が形成された面３４に対向するブロック体１２の面３５に第２凸レンズ３６が形成される。また、第１凸レンズ３３は、発光素子群１４及びモニタ用受光素子群１８に臨んで形成されている。第１凸レンズ３３及び第２凸レンズ３６は、ブロック体１２と同じ材料で一体に形成され、第１凸レンズ３３と第２凸レンズ３６間もブロック体１２を形成する材料で充実されている。
【００３０】
第１凸レンズ３３は、発光素子群１４に凸側が対向して配置され、発光素子群１４のうち互いに最も離れた発光素子２１，２１の光軸間距離よりも大きな径（有効径）を有し、発光素子群１４の中心（最も離れた発光素子の光軸間の中心）が第１凸レンズ３３の光軸（中央）に位置するように配置される（図４（ｃ）参照）。第２凸レンズ３６も、光モジュール１０に接続される複数の光伝送路（例えば、光ファイバ）４１からなる光導波体群（例えば、光ファイバアレイ）４２に凸側が対向して、光ファイバアレイ４２のうち互いに最も離れた２つの光ファイバ４１の光軸間距離よりも大きな径を有するのが好ましい。第２凸レンズ３６は、ブロック体１２に接続される複数の光ファイバ４１にそれぞれ光信号を集光させるものである。
【００３１】
本実施の形態では、第１凸レンズ３３は、ブロック体１２の一面３４に、第１凸レンズ３３の口径と略等しい円柱状のレンズ穴３７が形成され、そのレンズ穴３７の最深部（底面）に第１凸レンズ３３が設けられている。同様に、対向するブロック体１２の面３５にも、同形状のレンズ穴３８が形成され、レンズ穴３８の最深部に第２凸レンズ３６が形成されている。
【００３２】
図５に示すように、レンズ穴３８は、第２凸レンズ３６の焦点位置Ｆがレンズ穴３８の開口面４５に位置するように深さｄを調整して形成されている。これにより、光ファイバ４１が接続された光コネクタ４４をブロック体１２の面３５に当接させるだけで、第２凸レンズ３６の焦点が光コネクタ４４に接続された光ファイバ４１の端面に位置する。
【００３３】
また、図４（ａ）に戻り、第２凸レンズ３６が形成された側のブロック体１２の面３５には、光コネクタ４４と接続するための嵌合用突起３９（図４（ａ）では２個）が形成されている。これにより、光コネクタ４４に形成された嵌合用溝（図示せず）に、ブロック体１２の嵌合用突起３９を嵌合するだけで、調芯作業を行うことなく、各光信号Ｌ１〜Ｌ４の光軸を各光ファイバ４１に一致させて、光コネクタ４４をブロック体１２に接続することができる。
【００３４】
図４（ｂ）、図４（ｃ）に示すように、モニタ用受光素子群１８は、発光素子群１４と並べて配置されている。この「並べて」とは、モニタ用受光素子の受光端面（光軸）が、発光素子群１４の発光端面（光軸）と略並列となるように、かつ、複数の発光素子１４が並ぶ直線と、複数のモニタ用受光素子が並ぶ直線とが互いに平行となり、各発光素子１４と１対１で各々モニタ用受光素子が並ぶように配列されていることである。
【００３５】
本実施の形態では、ミラー３２が発光素子群１４の光軸に傾斜した角度θを有して設けられると共に、発光素子群１４が第１凸レンズ３３の中心軸上に設けられており、発光素子とモニタ用受光素子との間隔Δｙ１は、第１凸レンズ３３とミラー３２との距離、及びミラー３２の発光素子の光軸に対する角度θによって決定される。
【００３６】
さらに、図６に示すように、一対の第１凸レンズ３３及び第２凸レンズ３６は、以下に説明するような光路で複数の光信号Ｌ１〜Ｌ４を伝搬させるべく形成されている。
【００３７】
図６中、第２凸レンズ３６側には光信号を受光する複数の光ファイバ４１からなる光ファイバ群（光ファイバアレイ）４２が設けられ、第１の凸レンズ３３側に位置する複数の発光素子２１から光ファイバ群４２に向かって光信号Ｌ１〜Ｌ４が出射するとする。
【００３８】
また、本実施の形態の光モジュール１０は、第１凸レンズ３３と第２凸レンズ３６との間にミラー３２が形成されているが、発光素子２１から出射した光信号の大部分（光強度比）は、ミラー３２を透過するので、図６では、ミラー３２を透過する通信用光信号の伝搬について説明する。
【００３９】
各発光素子２１を出射した光信号Ｌ１〜Ｌ４は、その径（ビーム径）を拡げながら第１凸レンズ３３に入射する。光信号Ｌ１〜Ｌ４は、第１凸レンズ３３の境界で屈折変化し第１凸レンズ３３を出射する。第１凸レンズ３３を出射した光信号Ｌ１〜Ｌ４は、その光軸（主光線（図６中一点鎖線で示す））が曲げられると共に、平行光となり第２凸レンズ３６に向かう。その際、複数の光信号Ｌ１〜Ｌ４は、第１凸レンズ３３においてレンズ中心から遠い位置で入射した光信号程、光軸の曲がり角（伝搬角）が大きく、中心に近い程光軸の曲がり角が小さい。したがって、第１凸レンズ３３を出射し、それぞれ平行光となった複数の光信号Ｌ１〜Ｌ４は、略一箇所（図中、○Ｃ１）で交差する。
【００４０】
平行光となって伝搬する光信号Ｌ１〜Ｌ４は、第２凸レンズ３６で屈折変化され、コリメートされた平行光の光軸が互い平行にされると共に、各平行光が各光ファイバ４１の端面に集光されるように第２凸レンズ３６を出射する。
【００４１】
本実施の形態の光モジュール１０は、第１凸レンズ３３、第２凸レンズ３６、及びそれらレンズ間４３が同じ屈折率の媒質（ここではプラスチック材料）で形成されており、光の伝搬は図７に示すようになり、複数の光信号Ｌ１〜Ｌ４は、発光素子２１から光ファイバ４１まで、図６の場合と略同様に伝搬する。
【００４２】
なお、図８に示すように、図７をｘ軸方向から見ると、複数の光信号Ｌ１〜Ｌ４は、第１凸レンズ３３と第２凸レンズ３６との間４３を、両凸レンズ３３，３６の中心軸に沿った平行光として伝搬している。
【００４３】
ところで、光学損失の許容量が大きい場合には、第１凸レンズ３３と第２凸レンズ３６の間の光信号Ｌ１〜Ｌ４は収束光または拡散光となっていてもよい。
【００４４】
さて、本実施の形態の光モジュール１０では、スリット３１が形成するミラー３２で、第１凸レンズ３３を通過した光信号の一部を反射させている。
【００４５】
第１凸レンズ３３でそれぞれ平行光にされた複数の光信号は、ミラー３２上或いはミラー３２の近傍の略一箇所で交わる。その光信号のうち４％（光強度比）程度の光信号が、ミラー３２の角度に応じた反射角で反射される。反射した複数の光信号（モニタ光信号）はコリメートを保ったまま第１凸レンズ３３に向かう。だたし、モニタ光信号は、発光素子の出射直後に第１凸レンズ３３に入射した位置とは異なる位置に入射する。第１凸レンズ３３に入射した複数のモニタ光信号は、互いに光軸が平行にされると共に、それぞれモニタ用受光素子に集光される。
【００４６】
本実施の形態の光モジュール１０によれば、複数のモニタ光信号を個々にモニタすることができる。すなわち、複数の光信号の光軸を交わらせると共に各光信号を平行光にする第一凸レンズ３３を形成し、その第一凸レンズ３３を透過した光信号をミラー３２で反射させ、その反射により生成したモニタ用光信号を再び第一凸レンズ３３を透過させることにより、並列配置された複数のモニタ用ＰＤには、それぞれ集光されてモニタ用光信号が到達するので、各ＬＤ２１に対応したモニタ用光信号を受信させることができる。本光モジュール１０では、モニタ用ＰＤに向かうモニタ光信号を拡径させないので、挟ピッチに配列された複数のモニタＰＤ２１は、それぞれ目的とするモニタ光信号のみを受光することができ、他のモニタ光信号の受光（混信）を防止することができる。
【００４７】
また、本光モジュール１０は、凸レンズ３３とスリット３１が形成されたブロック体１２を用いるだけで、モニタ光信号を検出するための新たなレンズは必要とせず、少ない部品点数で複数のモニタ光信号の光路を形成することができる。
【００４８】
なお、図４（ａ）〜図４（ｃ）では、スリット３１を透過する光信号が一直線に示されているが、図９に示すように、実際には、第１凸レンズ３３と第２凸レンズ３６との間に形成されたスリット３１によって、光信号がスリットの境界面を通過する際に屈折変化して伝搬する。具体的には、スリット３１の互いに対向する境界面３２，４６が平行に形成され、かつ、ブロック体１２からスリット３１に入射する際の屈折角と、スリット３１からブロック体１２へ出射する際の屈折角とは等しいので、スリット３１に入射する光信号の光軸とスリット３１から出射する光信号の光軸とは平行にずれた関係となる。したがって第２凸レンズ３６は、第１凸レンズ３３に対して、光軸がずれる距離だけ平行にずらして設けられるのが好ましい。
【００４９】
次に好適な第２の実施の形態の光モジュールについて説明する。
【００５０】
基本的な構成部分は、上述した図１の光モジュール１０とほぼ同様であり、前実施の形態の光モジュール１０では複数の光電素子２１が一次元配列された発光素子群１４を設けたが、本実施の形態の光モジュールは、複数の光電素子２１が二次元配列された光電素子群５１を設けた点において異なる。
【００５１】
図１０に示すように、本実施の形態の光モジュールの発光素子群５１は、例えば、基材５２に一組の発光領域（出射部）２３と端子２４とからなるＬＤ２１が、縦４組×横４組に二次元に配列されて実装されたものである。また、モニタ用受光素子群１８（図２参照）も縦４×横４に二次元配列されたモニタ用ＰＤアレイに形成される。
【００５２】
本実施の形態の光モジュールは、発光素子２１が二次元配列されていても、複数の光信号の伝搬に関しては、前実施の形態と同様であり、各発光素子２１毎にその発光素子に対応したモニタ用受光素子でモニタ用光信号を検出することができる。したがって、本実施の形態の光モジュールによれば、光モジュールの更なる多チャンネル化に容易に対応することができる。
【００５３】
次に、好適な第３の実施の形態の光モジュールについて説明する。
【００５４】
基本的な構成部分は、上述した図１〜図４（ｃ）の光モジュール１０とほぼ同様であり、同一構成部分には、図１〜図４（ｃ）の場合と同一の符号を付してある。
【００５５】
図１１に示すように、本実施の形態の光モジュール６０は、図４の光モジュール１０のスリット３１にハーフミラー６１を挿入した点において異なる。
【００５６】
ハーフミラー６１は、基材６２の表面に、ミラー膜（金属薄膜又は誘電体薄膜等）を施したものであり、その材料によって光信号の透過率（反射率）を任意に選択することができる。
【００５７】
ハーフミラー６１の基材６２を、その屈折率がブロック体１２を形成する材料の屈折率と等しい材料で形成するのが好ましい。スリット３１内（ハーフミラー６１）をブロック体１２と同じ屈折率とすることで、スリット３１を透過する光信号を屈折させることなく直進させることができる。したがって、第２凸レンズ３６の光軸が第１凸レンズ３３の光軸と一致するように、第２凸レンズ３６を設けることができ、ブロック体１２に形成する凸レンズの設計を容易にすることができる。
【００５８】
また、ハーフミラー６１が挿入されたスリット内の隙間には、ブロック体１２を形成する材料と同じ屈折率を有する接着剤６４が充填されている。接着剤６４を充填することで、余分な反射、屈折が生じるのを防ぐことができる。
【００５９】
次に第４の実施の形態の光モジュールについて説明する。
【００６０】
本実施の形態の光モジュールは、ミラーが発光素子群の光軸に垂直に設けられると共に発光素子群の光軸が第１凸レンズの中心軸からずれて設けられた点において第１の実施の形態の光モジュールと異なる。
【００６１】
図１２に示すように、光モジュール７０のスリット７１は第１凸レンズ３３の中心軸ｚ１に垂直に形成されている。発光素子群１４は、第１凸レンズ３３の中心軸ｚ１から所定量だけオフセットされて配置されている。モニタ用受光素子群１８は、第１凸レンズ３３の中心軸ｚ１から、発光素子群１４とは反対側にオフセットされて配置されている。発光素子群１４の第１凸レンズ３３の中心軸ｚ１からのオフセット量Δｙ２は、モニタ用受光素子群１８の第１凸レンズ３３の中心軸ｚ１からのオフセット量Δｙ２と等しくしている。オフセット量Δｙ２は、発光素子群３３から出射した光信号Ｌ１〜Ｌ４がミラー３２で全反射しない量以下に決定される。すなわち、第１凸レンズ３３によって屈折された光信号Ｌ１〜Ｌ４のミラー３２への入射角が臨界角以下となるように、オフセット量Δｙ２が設定される。
【００６２】
図１３に示すように、各発光素子２１を出射した光信号Ｌ１〜Ｌ４は、その径を拡げながら第１凸レンズ３３に入射する。このとき、図８の場合とは異なり、光信号Ｌ１〜Ｌ４は、第１凸レンズ３３の中心軸ｚ１と平行に、かつ中心軸ｚ１からずれて入射する。光信号Ｌ１〜Ｌ４は、第１凸レンズ３３で屈折変化して、その光軸が曲げられると共に、平行光となり第２凸レンズ３６に向かう。平行光となった光信号Ｌ１〜Ｌ４は、第２凸レンズ３６の中心軸ｚ１に対して反対側に入射し、第２凸レンズ３６で屈折変化され、平行光の光軸が互いに平行にされると共に、各平行光が各光ファイバ４１の端面に集光されるように第２凸レンズ３６を出射する。図１３では、第１凸レンズ３３と第２凸レンズ３６との間４３にミラーが形成されていないが、実際は光信号Ｌ１〜Ｌ４の大部分（９６％程度）がミラーを透過し第２凸レンズ３６に入射している。
【００６３】
また、図１４に示すように、光信号Ｌ１〜Ｌ４が第１凸レンズ３３によって屈折変化されているので、ミラー７２が発光素子２１の光軸に対して垂直（θ＝０）に形成されていても、所定の入射角度でミラー７２に入射するので、その反射光がモニタ用光信号Ｍ１〜Ｍ４となる。
【００６４】
モニタ用光信号は再び第１凸レンズ３３に入射し、第１凸レンズ３３で屈折変化して、各モニタ用光信号Ｍ１〜Ｍ４の光軸が互いに平行にされると共に、それぞれモニタ用受光素子に集光される。
【００６５】
本実施の形態の光モジュール７０は、モニタ用受光素子群１８と発光素子群１４とを第１凸レンズ３３の中心軸ｚ１に対して同じ量だけオフセットされると共に、それぞれ第１凸レンズ３３からの距離を等しくして配置し、ミラー７２を発光素子２１の光軸に対して垂直に形成することで、各発光素子２１を出射した光信号Ｌ１〜Ｌ４の一部がミラー７２で反射されてなるモニタ用光信号Ｍ１〜Ｍ４を各モニタ用受光素子で受光することができる。したがって、本実施の形態の光モジュール７０も第１の実施の形態の光モジュールと同様の効果を有する。
【００６６】
また、本実施の形態の光モジュールにおいても、第３の実施の形態の光モジュールのように、スリット７１内にハーフミラーを挿入してもよい。
【００６７】
次に、第５の実施の形態の光モジュールについて説明する。
【００６８】
図１５（ａ）〜図１５（ｄ）に示すように、本実施の形態の光モジュール８０は、光トランシーバケース８１にブロック体１２を収容し、ケース８１の外側に発光素子群１４及びモニタ用受光素子群１８を備えるＣＡＮパッケージ１３（ＣＡＮ型ＬＤ）を取り付けたものである。具体的には、光モジュール８０は、ケース８１内に図４（ａ）のブロック体１２を収容し、そのブロック体１２の第１凸レンズ３３に対向してＣＡＮ型ＬＤ１３を取付けて、ブロック体１２と発光素子群１４とを光学的に接続したものである。
【００６９】
また、本モジュール８０は、光通信用受光素子群（ＰＤアレイ）を備え、ブロック体１２には、その受光素子に対向する他の凸レンズが形成されている。光通信用受光素子群は発光素子群１４と同様に、ＣＡＮ型ＰＤ８３として設けられ、そのＣＡＮ型ＰＤ８３は、ケース８１のＣＡＮ型ＬＤ１３と直交する側に取り付けられている。８４は、複数の光ファイバが接続される多芯コネクタを挿入する挿入口であり、８５は挿入された多芯コネクタを光トランシーバケース８１内に固定する係止部材である。
【００７０】
本実施の形態の光モジュール８０も、スリット３１が形成されたブロック体１２と、ＣＡＮパッケージ１３に設けられた発光素子群及びモニタ用受光素子群とを備え、第１の実施の形態と同様の作用効果を有する。
【図面の簡単な説明】
【００７１】
【図１】本発明に係る好適な第１の実施の形態の光モジュールを示す斜視透視図である。
【図２】図１のＣＡＮパッケージを示す斜視図である。
【図３】図２の発光素子群を示す斜視図である。
【図４】（ａ）は、図１のブロック体の透視斜視図であり、（ｂ）は図１の光モジュールの上面図（一部概略）であり、（ｃ）は図１の光モジュールの側面図（一部概略）である。
【図５】図４のブロック体と光コネクタとの接続構造を示す断面図である。
【図６】光信号の伝搬を説明するための平面図である。
【図７】図４のブロック体の光信号の伝搬を説明するための上面図である。
【図８】図４のブロック体の光信号の伝搬を説明するための側面図である。
【図９】スリットにおける光信号の伝搬の詳細を説明する断面図である。
【図１０】好適な第２の実施の形態の光モジュールの発光素子群を示す斜視図である。
【図１１】好適な第３の実施の形態の光モジュールを示す側面図（一部概略
【図１２】好適な第４の実施の形態の光モジュールを示す側面図（一部概略）である。）である。
【図１３】図１２の光モジュールの通信用光信号の光路を示す側面図である。
【図１４】図１２の光モジュールのモニタ用光信号の光路を示す側面図である。
【図１５】好適な第５の実施の形態の光モジュールを示す図であり、（ａ）は前方斜視図、（ｂ）は後方斜視図、（ｃ）は正面図、（ｄ）は上面図である。
【図１６】従来の光モジュールを示す断面図である。
【符号の説明】
【００７２】
１０  光モジュール
１２  ブロック体
１４  発光素子群
１８  モニタ用受光素子群
２１  発光素子
３１  スリット
３２  ミラー
３３  第１凸レンズ
６１  ハーフミラー
６４  接着剤
【図１】
2007133079.tif 000003
【図２】
2007133079.tif 000004
【図３】
2007133079.tif 000005
【図４】
2007133079.tif 000006
【図５】
2007133079.tif 000007
【図６】
2007133079.tif 000008
【図７】
2007133079.tif 000009
【図８】
2007133079.tif 000010
【図９】
2007133079.tif 000011
【図１０】
2007133079.tif 000012
【図１１】
2007133079.tif 000013
【図１２】
2007133079.tif 000014
【図１３】
2007133079.tif 000015
【図１４】
2007133079.tif 000016
【図１５】
2007133079.tif 000017
【図１６】
2007133079.tif 000018